(57)【要約】  少なくとも１つの棚（６；２２）を有するラック（１９；２１）用のブランク材が、複数のセグメント（３）及び開口部分（４）からなる形式の少なくとも１つの曲げ領域（７；９；１５；２３；２５；３０；３２）を有する出発板材（５、−２１）として設計される。出発板材（６、−２２）は、複数の要素（６；８、−１２；１４；１８、−２２、−２４；２８；３１）から構成され、これら要素の各々が、曲げ領域（７；９；１５；２３；２５；３０；３２）に沿って延びる一辺を有し、当該要素の他方の辺は自由であり、よってこれらの要素を曲げ領域の周囲で折り曲げることによって、迅速且つ容易にラック（１９；２１）を形成することができる。このラックは、強く且つ耐久性があり、寿命が長い。
2009529945.tif 000002
【特許請求の範囲】
【請求項１】
少なくとも１つの棚（６；２２；３６；５０）を有するラック（１９；２１；３５；４９）へと展開することのできる出発板材（５；２１；３４；４８）の形態のブランク材であって、
−板材（５；２１；３４；４８）が、恒久的に変形可能な材料から構成されること、
−板材が、複数のセグメント（３）及び開口部分（４）の形態の少なくとも１つの曲げ領域（７；９；１５；２３；２５；３０；３２；３７；４２；４５；４６；５１）を有すること、
−板材が、それぞれの側部のうちの一つが曲げ領域（７；９；１５；２３；２５；３０；３２；３７；４２；４５；４６；５１）に沿って延び、残りの側部の少なくとも１つが自由である複数の要素（６；８；１２；１４；１８；２２；２４；２８；３１；３６；３８；４３；４４；５０）を有すること、及び
−ラック（１９；２１；３５；４９）が、それぞれの曲げ領域で前記要素を折り曲げることによって形成されること
を構成要件とするブランク材において、
−前記少なくとも１つの棚が、付属の曲げ領域内に制限される片持ち梁として形成されること
を特徴とする、ブランク材。
【請求項２】
少なくとも１つの棚（６；２２；３６；５０）に属する曲げ領域（７；２５；３７；５１）が、所定の最大荷重を連関する材料の最大許容特定ひずみで除した荷重が棚に掛かったとき前記曲げ領域に掛かる曲げモーメントに等しいか又は当該モーメントより大きい抵抗モーメントを有することを特徴とする、請求項１に記載のブランク材。
【請求項３】
ラックの棚要素（３６）の各々を、ラックが直立しているときの上部曲げ領域（３７）を中心に展開することにより棚が形成されることを特徴とする、請求項１又は２に記載のブランク材。
【請求項４】
各棚の後縁（４０）が、棚要素（３６）間の板材領域（４０）によって形成されることを特徴とする、請求項１、２、又は３に記載のブランク材。
【請求項５】
棚要素（６；２２）の区分（１１；２７）によって少なくとも１つの後縁要素（１２；２８）が残され、この後縁要素が、少なくとも１つの棚要素（６；２２）をその曲げ領域で折り曲げると出発板材（５；２１）上で複数の区分（１３；２９）に分割されること、並びに、この後縁要素が棚（６；２２）の後縁（１２；２８）を形成することを特徴とする、請求項１に記載のブランク材。
【請求項６】
少なくとも１つの棚要素（６；２２）が、第２の曲げ領域（９；２５）で折り曲げられると棚（６；２２）の前縁（８；２４）を形成する前縁要素（８；２４）に、第２の曲げ領域（９；２５）を介して接続されていることを特徴とする、請求項１ないし５のいずれか一項に記載のブランク材。
【請求項７】
板材（５；２１）が２つの対向する側部要素（１４；３１）を有し、これら側部要素がそれぞれの曲げ領域（１５；３２）に沿って延び、且つそれぞれの曲げ領域（１５；３２）で折り曲げられるとラック（１９；２１）の側部（１４；３１）を形成することを特徴とする、請求項１ないし６のいずれか一項に記載のブランク材。
【請求項８】
少なくとも１つの側部要素（１４）に、手に適合する長方形の開口部分（４７）が設けられていることを特徴とする、請求項７に記載のブランク材。
【請求項９】
各側部要素（１４）が、ラック（１９）を地面に対して支持するためのフラップ（１６）を有することを特徴とする、請求項７又は８に記載のブランク材。
【請求項１０】
各側部要素（３１）が、別のラック（１９）の側部要素（１４）の曲げ領域（１５）にラック（２１）を引掛けるための少なくとも１つのフック（３３）を有することを特徴とする、請求項７、８、又は９に記載のブランク材。
【請求項１１】
ラック（２１）に属する後縁要素（２８）の少なくとも１つの後縁区分（２９）が、別のラック（１９）の頂部要素（１８）のところで後縁区分（２９）を折り曲げることを可能にする曲げ領域を有することを特徴とする、請求項７ないし１０のいずれか一項に記載のブランク材。
【請求項１２】
棚要素（６；２２；３６）の曲げ領域（７；２５；３７）が、他の曲げ領域（９；１５；２３；３０；３２；４２；４５；４６）よりも大きい対曲げ抵抗モーメントを有することを特徴とする、請求項１ないし１１のいずれか一項に記載のブランク材。
【請求項１３】
展開された状態において分割壁として各棚を更に小さい区画へ分割するための分割要素（４１）を備えることを特徴とする、請求項１ないし１２のいずれか一項に記載のブランク材。
【請求項１４】
展開された状態において掲示板用の保持具（４３、４４）となる保持具（４３、４４）を備えることを特徴とする請求項１ないし１３のいずれか一項に記載のブランク材。
【発明の詳細な説明】
【発明の開示】
【０００１】
本発明は、少なくとも１つの棚を有するラックへと展開することができる、出発板材の形態のブランク材に関し、このブランク材は、板材が、恒久的に変形させることが可能な材料からなること、板材が、一連のセグメントと開口部分の形態の少なくとも１つの曲げ領域を有すること、更に板材が、複数の要素を有し、これらの各々が曲げ領域に沿って延びる一辺を有し且つ各要素の他の辺のうちの少なくとも一つが自由であること、並びに、前記要素をその曲げ領域の周囲で折り曲げることによってラックが形成されることを構成要件として有する。
【０００２】
このようなラックの大部分は、異なる対象物、例えばスーパーマーケットで商品を提供するための展示用スタンドとして使用される。これらスタンドを使用する会社又は店舗は多くのスタンドを利用することが多く、それらに加えて定期的に、既に使用中のものより多数のスタンドを補充として迅速且つ容易に組み立てることが必要になる。
しかしながら、展示スタンドは空間を占有し、このような空間は通常貴重である。従って空間を考慮して、展示スタンドは通常平面状態で保管される。
【０００３】
例として、米国特許第４３１１１００号及び国際公開第２００４１１０２２２号に既知の展示スタンドを挙げることができる。これらの展示スタンドは、一枚の平坦な厚紙に折り畳むことが可能である。
しかし、これら既知のスタンドは、展開し、再び折り畳むことが困難で、且つ時間がかかるという大きな欠点を有する。更に、これらスタンドは概して、倒壊に対する耐性及び安定性が十分でない。加えて、厚紙は非常に弱い材料であり、使用時にあまり安定しない。従って、厚紙の展示スタンドは寿命が比較的短く、長期的には使用コストが高い。
【０００４】
国際公開第９７／４８３０９号には、複数の要素を画定する複数の折り畳み線を有する板材が記載されている。それぞれの折り畳み線で折り畳むと、三次元の家具構造が形成される。板材は、棚付きのラックでもよいことが指摘されている。安定性及び積載重量容量は、ラックを強化するための曲げたフラップと、要素を相互連結する舌片によって得られる。多くの場合、板材がこの特許文献で示唆されているような薄いものでない限り、フラップは長いために手によって折り曲げ線で曲げることはできない。棚の折り曲げ線は、使用中に棚に掛かる荷重を負担するとは解釈できない。この既知の板材は、展開して例えば重量を支持可能なラックに組み立てるのは難しい。
【０００５】
本発明の第１の態様は、本明細書の最初のパラグラフに示した種類の、迅速且つ容易にラックへと展開することができるようなブランク材である。
本発明の第２の態様は、本明細書の最初のパラグラフに示した種類の、強く安定したラックを構築できるブランク材である。
【０００６】
本発明の第３の態様は、本明細書の最初のパラグラフに示した種類の、倒壊に対して耐性で且つ安定したラックを構築できるブランク材である。
本発明による第４の態様は、本明細書の最初のパラグラフに示した種類の、寿命の長いラックを構築できるブランク材である。
【０００７】
本発明の第５の態様は、本明細書の最初のパラグラフに示した種類の、従来技術によるものよりも廉価な構造のラックを構築できるブランク材である。
本発明による新しさ及び独特さは、少なくとも１つの棚が、付属する曲げ領域内に制限される片持ち梁として設計されることである。
【０００８】
その結果、本発明による構造は、板材の種々の要素を単にその曲げ領域で折り曲げることによって、迅速且つ容易にラックを形成できるという利点を有する。この場合の曲げ領域のセグメントが、恒久的に変形させることが可能な材料からなるため、折り曲げた後でこれらの要素を更に連結させる必要がない。この状態で曲げ領域は極めて強いので、これらの曲げ領域は、適切な棚自重並びに使用中の棚に掛かる重量を支持することができる。
このように、個別の結合にかかる時間がなく、ねじのような結合手段にコストが掛からないため、ラックは通常よりも廉価で生産できる。
【０００９】
完成ラックは、金属のような、恒久的に変形させて形成できる材料から生産されるので、使用時にほとんど磨耗せず、長寿命を達成する。
曲げ領域は、曲げに対して同一の抵抗モーメントを有するように形成できるが、本発明による有利な実施形態においては、異なる曲げ領域の抵抗モーメントは、それぞれの棚要素の曲げ領域全体の範囲に応じて、即ちトルクアームの長さ並びに完成ラックにおけるその目的によって定めることが可能である。従って、棚の曲げ領域は、棚上に置かれる商品の重量を棚が確実に支えることができるように、有利には大きな抵抗モーメントを有する。
【００１０】
具体的には、本発明によれば、少なくとも１つの棚に属する曲げ領域には、この棚に、所定の最大荷重を連関する材料の最大許容特定ひずみで除した荷重が掛かるとき、曲げ領域に掛かる曲げモーメントに等しいか又はこの曲げモーメントより大きい抵抗モーメントを与えることが可能である。
以下の説明において、出発板材の種々の要素の名称として使用される用語は、完成ラックにおけるそれらの要素の機能から導かれている。
【００１１】
従って、棚要素は完成ラックでは棚となり、側部要素はラックの側部となる。棚の前縁となることができる部分は前縁要素によって形成され、棚の後縁となることができる部分は後縁要素によって形成される。
場合によっては、棚は後縁を有しない。しかし、大抵の場合には後縁要素があり、その後縁は出発板材上の棚と同じ領域から打ち抜かれる。即ち、後縁及び棚の両方が、矩形又はＶ形の歯を有するカム状の構造を形成する。
【００１２】
本発明による別の有利な実施形態においては、棚は、一体の支持部、即ち棚上に置かれる物体が落ちうる開口部分のない支持部を形成するように、ラックの直立位置において上側となる曲げ領域で折り曲げることができる。
この場合、本発明により、後縁は出発板材の非展開領域によって形成することができる。
【００１３】
本発明による他の要素は、展開された状態において、各棚を更に小さい区画に分割するための、又はラックが本箱として使用されるときに本の支持部を形成するための分割壁を形成する。
本発明によれば、ラックは別のラックを用いて垂直に延長可能であり、これは、第１のラックの側部の曲げ領域に係合するためのフックと、第１のラックの頂部要素の箇所で折り曲げることが可能な、最下棚における少なくとも１つの後縁要素上の曲げ領域とにより形成される。これにより、工具を使用せずに迅速且つ容易に２つのラックを組み立てることができ、得られた組立体は安全で安定したものとなる。
【００１４】
後述では、例示のみを目的として本発明について更に説明し、図面を参照して更なる技術的機能及び利点を提示する。
【実施例】
【００１５】
以下の説明では、本発明による出発板材が鉄製であること、及びこの出発板材から形成されたラックが店内で販売される商品の提示のための展示スタンドであることを前提とする。
図１は、曲げ領域２を有する出発板材の断片１を示し、図２は、この曲げ領域で折り曲げられたこの断片を示す。これは、開口部分４によって分割された複数のセグメント３を有し、開口部分４は、好ましくは、例えばＣＮＣ打抜き機によって打抜きされる。
【００１６】
曲げ領域は、例えば図２に示す曲げ部分が、板材が鉄であることにより恒久的な変形として維持され、同じ理由で、この曲げ部分が、板材に掛かる有意な荷重を支持可能であることを特徴とする。
板材は、アルミニウムのような金属等の、他の材料から作製することもできる。必須であるのは、その材料が恒久的な変形を可能にすることである。
【００１７】
曲げ領域の抵抗モーメントは、本発明により、出発板材を曲げ領域で合理的に折り曲げることができるように選択される。曲げ領域はまた、使用時に掛かる力を確実に支えることができなければならない。
抵抗モーメントの大きさは、曲げ領域の幅、セグメントの間の距離、及びセグメントの幅、厚さ、及び品質によって決定される。このように、抵抗モーメントを定めるときに選択すべき更なるパラメータがある。
【００１８】
図３は、本発明による出発板材の第１の実施形態、即ち平面状態にある展示スタンドの第１の実施形態を示す。この場合、当該板材は、例えば収納室においてごくわずかの空間しか占有しないので有利である。出発板材は、多数の曲げ領域と開口部分とによって複数の要素に分割され、これらの要素は、後述で詳細に説明するように、曲げ領域で折り曲げられると展示スタンドを形成する。
出発板材は、図示の場合、４つの棚要素６を有し、各棚要素は、曲げ領域７に沿う側部を有する。更に、各棚要素は曲げ領域９によって前縁要素８に接続されている。打抜きされた開口部分１０によって、棚要素６と前縁要素８はそれぞれ出発板材の残りの部分から分離されている。
【００１９】
図示の場合、各棚要素は４つの棚区分１１に分割されている。棚区分１１により後縁要素１２が残され、これは３つの後縁区分１３に分かれている。
出発板材の各側部には、曲げ領域１５を介して出発板材の残りの部分に接続される側部要素１４がある。各側部要素１４はフラップ１６を有し、フラップ１６は他方の側部要素１４のフラップ１６の方向に延びており、且つ打抜きされた開口部分又はスリット１７によって出発板材の残りの部分から分離されている。更に、板材には頂部要素１８を有する。
【００２０】
図４は、展示スタンド１９を示す。この展示スタンド１９は、曲げ領域で要素を折り曲げると形成される。当該スタンドの種々の部分は、平面状態にある場合と同じ参照番号、即ち板材の対応する要素の場合と同じ参照番号で示す。
図に示すように、展示スタンドは前縁８付きの４つの棚６と、頂部１８と、フラップ１６付きの側部１４とを有する。展示スタンドは地面の上に傾斜した状態で置かれ、よって展示スタンドの使用時には、確実に棚上の商品（図示しない）の全体がよく見える。後方に向くフラップ１６により、傾斜した展示スタンドが後方に倒れることが確実に防止される。
【００２１】
図５は、図示の例では２つの棚要素２２を有する本発明による出発板材の第２の実施形態２１を示し、各棚要素２２は曲げ領域２３に沿う側部を有する。更に、各棚要素２２は曲げ領域２５を介して前縁要素２４に接続されている。開口部分２６によって、棚要素２２と前縁要素２４はそれぞれ出発板材の残りの部分から分離されている。
更に、各棚要素は４つの棚区分２７に分割されている。棚区分２７により後縁要素２８が残され、これは３つの後縁区分２９に分かれている。
【００２２】
実際には、棚要素とその前縁要素及び後縁要素とは、図３に示す本発明による出発板材の第１の実施形態５と同じように設計されており、図面の最も下の後縁区分２９の各々には横方向の曲げ領域３０が設けられている。
更に、板材の各側部が側部要素３１を有し、側部要素３１は曲げ領域３２を介して板材の残りの部分に接続されている。更に、各側部要素は、底部に２つのフック３３を有し、板材は頂部に頂部要素３４を有する。
【００２３】
図６は、曲げ領域で要素を折り曲げたときに形成される、展示スタンド２１を示す。展示スタンドの種々の部分は平面状態にある場合、即ち板材の対応する要素の場合と同じ参照番号で表示される。
この第２の実施形態では、展示スタンドは、前縁２４付きの２つの棚２２と、頂部３４と、フック３３付きの側部３１とを有する。この展示スタンドは主に、図４に示す本発明による展示スタンドの第１の実施形態１９の高さを増加するために使用される。
【００２４】
図７では、２つの展示スタンド１９と２１とが、上部スタンド２１のフック３３を下部スタンド１９の曲げ領域１５の頂部に引っ掛け、上部スタンド２１の最も下の後縁区分２９を後縁区分２９の横方向の曲げ領域３０を介して下部スタンド１９の頂部１８で折り曲げることにより、互いに相手の頂部に取り付けられている。この作業は迅速且つ容易に行うことができるので、２つのスタンドの強力で安定した組立体が得られ、この組立体は単一の高い展示スタンドを形成する。
【００２５】
図８−図１１は本発明の原理を示し、この原理は、使用準備が即座に整うラックの、例えば収納室においてごくわずかの空間しか占有しない出発板材の形態のブランク材の迅速且つ容易な形状変換から構成される。
図８は、棚要素６及び棚要素の曲げ領域７、並びに前縁要素８及び前縁要素の曲げ領域９を有する図３に示す板材５の断面図である。
【００２６】
図９では、棚要素６は曲げ領域７で折り曲げられつつある。この段階では後縁区分１３が見える。
図１０では、棚要素６が、完成された展示スタンドの最終位置まで、曲げ領域７で折り曲げられている。
図１１では、前縁要素８が、棚要素６に対し、最終位置まで曲げ領域９で折り曲げられている。この段階では、形成された棚６は、展示スタンド１９の前縁８及び後縁１２を有する。
【００２７】
図１２及び図１３は、本発明による第３の実施形態による出発板材３４及びこの出発板材から展開されたラック３５を示す。この実施形態は、図３に示す第１の実施形態にほぼ対応する。従って、類似の部分には同じ参照番号が使用されている。
ラックの棚要素３６の各々は、ラックを垂直にした状態で、上部に位置する曲げ領域３７のところで棚に展開される。各棚要素の前縁３８は、棚要素の曲げ領域３９で折り曲げられる。
【００２８】
棚要素の間には板材領域４０があり、この板材領域４０は、棚を展開したときの後縁４０を形成する。
本実施形態は、棚及び後縁に、図３及び図４に示されるような開口部分がないので好ましい。これにより、展開されたラックは、開口部分から落下しうる小さい対象物に使用することができる。
【００２９】
第３の実施形態はまた、展開されると分割壁として各棚をより小さい区画に分割する分割要素４１を備える。各分割要素は、ほぼ垂直な曲げ領域４２のところで展開される。
このラックは本箱にも適している。展開されると、有利には分割壁が本の支持板を形成する。
【００３０】
このラックは例えば、ラックの使用によって商品を提示する百貨店で使用され、この場合、ラックは販売ラックとして機能する。
図１２及び図１３に示す例の場合、点線で表した掲示板が、商品を広告するためにラックの頂部に置かれる。掲示板は、水平保持具４３及び垂直保持具４４によって、取り外し可能に取り付けられる。
【００３１】
各保持具は、曲げ領域４５及び４６でそれぞれ折り畳むことができる保持具要素４３及び４４から形成される。各保持具は、対応する曲げ領域で９０度を超えて折り曲げることが可能で、それにより掲示板を定位置に確実に保持する。
各側部要素１４には長方形の開口部分４７が設けられ、この開口部分４７は手に適合する。ラックはこの開口部分で保持することによって容易に動かすことができる。
【００３２】
上記の掲示板は例えば、厚紙又は紙とすることができる。厚紙は支持具を必要としないが、紙は可撓性が大き過ぎるのでラック上に確実に留まることはできない。
他方、例えばコンピュータとプリンタを使用することにより、容易且つ迅速に明確で読み易いメッセージを紙の上に印刷することができる。
【００３３】
その場合、印刷された紙を適切な収納ケースに入れ、当該ケースを保持器４３及び４４によりラックに取り付けることができる。
別の構成では、図３、４又は６に示すラックの上縁に収納ケースを引掛けるためのフック（図示しない）を用いて収納ケースを取り付けることができる。
【００３４】
図１４及び図１５はそれぞれ、本発明の第４の実施形態による出発板材４８及びこの出発板材から展開されるラック４９を示す。この実施形態は、図１２及び図１３に示す第３の実施形態にほぼ対応する。従って、類似の部分には同じ参照番号を使用する。
この実施形態は、全部で７列の狭い棚要素５０から構成され、これらの棚要素５０は、展開されるとフック状に形成された細長い棚を形成する。
【００３５】
展開されたラックは、例えば対象物の穴を利用してフックに引掛けるように設計された、対象物の提示のための陳列場所を形成する。
このような対象物の一例として、ねじ又は錠のような小さな物品を入れた袋が挙げられる。
各棚要素５０は、水平な曲げ領域５１のところで展開される。
【００３６】
ブランク材又は出発板材、及び出発板材から展開される展示スタンド又はラックの実施例について上述し、図面に示した。これらの各々には、複数の多様な展開可能な要素が取り付けられている。
本発明の範囲内で、前記多様な要素を組み合わせ、更なる有利な実施形態を形成することができる。
【００３７】
前記多様な要素の曲げ領域における曲げの大きさは９０度とすることができるが、別の適切な角度とすることもできる。
各曲げ領域は、使用時に曝される荷重を支持するのに十分に強く、同時に容易に手で曲げることが可能でなければならない。
【００３８】
曲げ領域の抵抗モーメントの大きさは、上述のように、それぞれの曲げ領域の幅、セグメント間の距離、セグメントの幅、及び鉄板の厚さ及び品質によって決定される。
【００３９】
実施例
図４に示す構造の展示スタンドを、図３に示すパターンを有する板材によって製造した。それには約３０秒を要した。この板材は通常の鉄製で、その厚さは１．５ｍｍであった。
各棚の曲げ領域の寸法は以下の通りであった。
曲げ領域の幅：３ｍｍ
セグメント間の間隔：１４ｍｍ
各セグメントの幅：３ｍｍ
【００４０】
棚は、長さ３９０ｍｍ、幅１３０ｍｍであり、例えば約１５ｋｇの総重量を有する商品のような対象物を支えることができた。
約１０ｋｇで棚の前縁の領域を引き込むことにより、棚を棚の曲げ領域で折り曲げた。
【００４１】
各曲げ領域の前縁の寸法は以下の通りであった。
曲げ領域の幅：５ｍｍ
セグメント間の間隔：５２ｍｍ
各セグメントの幅：２ｍｍ
【００４２】
各側部の曲げ領域の寸法は以下の通りであった。
曲げ領域の幅：５ｍｍ
セグメント間の間隔：５２ｍｍ
各セグメントの幅：２ｍｍ
【図面の簡単な説明】
【００４３】
【図１】曲げ領域を有する、本発明による出発板材の部分拡大図である。
【図２】図１と同じ板材を折り曲げた状態の部分拡大図である。
【図３】本発明による出発板材の第１の実施形態の断面図である。
【図４】図３に示す出発板材から形成されたラックの斜視図である。
【図５】本発明によるラックの第２の実施形態の平面図である。
【図６】図５に示す出発板材から形成されたラックの斜視図である。
【図７】図３及び図５にそれぞれ示された出発板材から形成された２つのラックからなる本発明による組立体の、側方部分断面図である。
【図８】図４に示すラックの一部分の側方断面図である。
【図９】前図と同じであるが、棚要素が曲げ領域を中心として途中まで折り曲げられている。
【図１０】前図と同じであるが、棚要素が９０度に折り曲げられている。
【図１１】前縁が曲げ領域を中心として９０度に折り曲げられている、ラック上の完全に折り曲げられた棚を示す。
【図１２】本発明による出発板材の第３の実施形態の平面図である。
【図１３】図１２に示す出発板材から形成されたラックの側面図である。
【図１４】本発明による出発板材の第４の実施形態の平面図である。
【図１５】図１４に示す出発板材から形成されたラックの側面図である。
【図１】
2009529945.tif 000003
【図２】
2009529945.tif 000004
【図３】
2009529945.tif 000005
【図４】
2009529945.tif 000006
【図５】
2009529945.tif 000007
【図６】
2009529945.tif 000008
【図７】
2009529945.tif 000009
【図８】
2009529945.tif 000010
【図９】
2009529945.tif 000011
【図１０】
2009529945.tif 000012
【図１１】
2009529945.tif 000013
【図１２】
2009529945.tif 000014
【図１３】
2009529945.tif 000015
【図１４】
2009529945.tif 000016
【図１５】
2009529945.tif 000017
【手続補正書】
【提出日】平成20年1月16日(2008.1.16)
【手続補正１】
【補正対象書類名】明細書
【補正対象項目名】全文
【補正方法】変更
【補正の内容】
【発明の詳細な説明】
【発明の開示】
【０００１】
本発明は、恒久的に変形させることが可能な材料からなる出発板材から構成される、少なくとも１つの棚を有するラック用のブランク材に関し、このブランク材は、板材が、一連のセグメントと開口部分の形態の少なくとも１つの曲げ領域を有すること、更に板材が、複数の要素を有し、これらの各々が曲げ領域に沿って延びる一辺を有し且つ各要素の他の辺のうちの少なくとも一つが自由であること、並びに、前記要素をその曲げ領域の周囲で折り曲げることによってラックが形成されることを構成要件として有する。
【０００２】
このようなラックの大部分は、異なる対象物、例えばスーパーマーケットで商品を提供するための展示用スタンドとして使用される。これらスタンドを使用する会社又は店舗は多くのスタンドを利用することが多く、それらに加えて定期的に、既に使用中のものより多数のスタンドを補充として迅速且つ容易に組み立てることが必要になる。
しかしながら、展示スタンドは空間を占有し、このような空間は通常貴重である。従って空間を考慮して、展示スタンドは通常平面状態で保管される。
【０００３】
例として、米国特許第４３１１１００号及び国際公開第２００４１１０２２２号に既知の展示スタンドを挙げることができる。これらの展示スタンドは、一枚の平坦な厚紙に折り畳むことが可能である。
しかし、これら既知のスタンドは、展開し、再び折り畳むことが困難で、且つ時間がかかるという大きな欠点を有する。更に、これらスタンドは概して、倒壊に対する耐性及び安定性が十分でない。加えて、厚紙は非常に弱い材料であり、使用時にあまり安定しない。従って、厚紙の展示スタンドは寿命が比較的短く、長期的には使用コストが高い。
【０００４】
国際公開第９７／４８３０９号には、複数の要素を画定する複数の折り畳み線を有する板材が記載されている。それぞれの折り畳み線で折り畳むと、三次元の家具構造が形成される。板材は、棚付きのラックでもよいことが指摘されている。安定性及び積載重量容量は、ラックを強化するための曲げたフラップと、要素を相互連結する舌片によって得られる。多くの場合、板材がこの特許文献で示唆されているような薄いものでない限り、フラップは長いために手によって折り曲げ線で曲げることはできない。棚の折り曲げ線は、使用中に棚に掛かる荷重を負担するとは解釈できない。この既知の板材は、展開して例えば重量を支持可能なラックに組み立てるのは難しい。
類似の複雑なラックが、米国特許第６３７８７１９号、独国特許出願公開第４１１８４８３号、及び独国実用新案第２９８０６９１８号に既知である。
【０００５】
本発明の第１の態様は、本明細書の最初のパラグラフに示した種類の、迅速且つ容易にラックへと展開することができるようなブランク材である。
本発明の第２の態様は、本明細書の最初のパラグラフに示した種類の、強く安定したラックを構築できるブランク材である。
【０００６】
本発明の第３の態様は、本明細書の最初のパラグラフに示した種類の、倒壊に対して耐性で且つ安定したラックを構築できるブランク材である。
本発明による第４の態様は、本明細書の最初のパラグラフに示した種類の、寿命の長いラックを構築できるブランク材である。
【０００７】
本発明の第５の態様は、本明細書の最初のパラグラフに示した種類の、従来技術によるものよりも廉価な構造のラックを構築できるブランク材である。
本発明による新しさ及び独特さは、少なくとも１つの棚が、付属する曲げ領域のところで板材の一要素を折り曲げることによって形成されること、並びに、少なくとも１つの棚が、前記曲げ領域内に制限される片持ち梁として設計されることである。
【０００８】
その結果、本発明による構造は、板材の種々の要素を単にその曲げ領域で折り曲げることによって、迅速且つ容易にラックを形成できるという利点を有する。この場合の曲げ領域のセグメントが、恒久的に変形させることが可能な材料からなるため、折り曲げた後でこれらの要素を更に連結させる必要がない。この状態で曲げ領域は極めて強いので、これらの曲げ領域は、適切な棚自重並びに使用中の棚に掛かる重量を支持することができる。
このように、個別の結合にかかる時間がなく、ねじのような結合手段にコストが掛からないため、ラックは通常よりも廉価で生産できる。
【０００９】
完成ラックは、金属のような、恒久的に変形させて形成できる材料から生産されるので、使用時にほとんど磨耗せず、長寿命を達成する。
曲げ領域は、曲げに対して同一の抵抗モーメントを有するように形成できるが、本発明による有利な実施形態においては、異なる曲げ領域の抵抗モーメントは、それぞれの棚要素の曲げ領域全体の範囲に応じて、即ちトルクアームの長さ並びに完成ラックにおけるその目的によって定めることが可能である。従って、棚の曲げ領域は、棚上に置かれる商品の重量を棚が確実に支えることができるように、有利には大きな抵抗モーメントを有する。
【００１０】
具体的には、本発明によれば、少なくとも１つの棚に属する曲げ領域には、この棚に、所定の最大荷重を連関する材料の最大許容特定ひずみで除した荷重が掛かるとき、曲げ領域に掛かる曲げモーメントに等しいか又はこの曲げモーメントより大きい抵抗モーメントを与えることが可能である。
以下の説明において、出発板材の種々の要素の名称として使用される用語は、完成ラックにおけるそれらの要素の機能から導かれている。
【００１１】
従って、棚要素は完成ラックでは棚となり、側部要素はラックの側部となる。棚の前縁となることができる部分は前縁要素によって形成され、棚の後縁となることができる部分は後縁要素によって形成される。
場合によっては、棚は後縁を有しない。しかし、大抵の場合には後縁要素があり、その後縁は出発板材上の棚と同じ領域から打ち抜かれる。即ち、後縁及び棚の両方が、矩形又はＶ形の歯を有するカム状の構造を形成する。
【００１２】
本発明による別の有利な実施形態においては、棚は、一体の支持部、即ち棚上に置かれる物体が落ちうる開口部分のない支持部を形成するように、ラックの直立位置において上側となる曲げ領域で折り曲げることができる。
この場合、本発明により、後縁は出発板材の非展開領域によって形成することができる。
【００１３】
本発明による他の要素は、展開された状態において、各棚を更に小さい区画に分割するための、又はラックが本箱として使用されるときに本の支持部を形成するための分割壁を形成する。
本発明によれば、ラックは別のラックを用いて垂直に延長可能であり、これは、第１のラックの側部の曲げ領域に係合するためのフックと、第１のラックの頂部要素の箇所で折り曲げることが可能な、最下棚における少なくとも１つの後縁要素上の曲げ領域とにより形成される。これにより、工具を使用せずに迅速且つ容易に２つのラックを組み立てることができ、得られた組立体は安全で安定したものとなる。
【００１４】
後述では、例示のみを目的として本発明について更に説明し、図面を参照して更なる技術的機能及び利点を提示する。
【実施例】
【００１５】
以下の説明では、本発明による出発板材が鉄製であること、及びこの出発板材から形成されたラックが店内で販売される商品の提示のための展示スタンドであることを前提とする。
図１は、曲げ領域２を有する出発板材の断片１を示し、図２は、この曲げ領域で折り曲げられたこの断片を示す。これは、開口部分４によって分割された複数のセグメント３を有し、開口部分４は、好ましくは、例えばＣＮＣ打抜き機によって打抜きされる。
【００１６】
曲げ領域は、例えば図２に示す曲げ部分が、板材が鉄であることにより恒久的な変形として維持され、同じ理由で、この曲げ部分が、板材に掛かる有意な荷重を支持可能であることを特徴とする。
板材は、アルミニウムのような金属等の、他の材料から作製することもできる。必須であるのは、その材料が恒久的な変形を可能にすることである。
【００１７】
曲げ領域の抵抗モーメントは、本発明により、出発板材を曲げ領域で合理的に折り曲げることができるように選択される。曲げ領域はまた、使用時に掛かる力を確実に支えることができなければならない。
抵抗モーメントの大きさは、曲げ領域の幅、セグメントの間の距離、及びセグメントの幅、厚さ、及び品質によって決定される。このように、抵抗モーメントを定めるときに選択すべき更なるパラメータがある。
【００１８】
図３は、本発明による出発板材の第１の実施形態、即ち平面状態にある展示スタンドの第１の実施形態を示す。この場合、当該板材は、例えば収納室においてごくわずかの空間しか占有しないので有利である。出発板材は、多数の曲げ領域と開口部分とによって複数の要素に分割され、これらの要素は、後述で詳細に説明するように、曲げ領域で折り曲げられると展示スタンドを形成する。
出発板材は、図示の場合、４つの棚要素６を有し、各棚要素は、曲げ領域７に沿う側部を有する。更に、各棚要素は曲げ領域９によって前縁要素８に接続されている。打抜きされた開口部分１０によって、棚要素６と前縁要素８はそれぞれ出発板材の残りの部分から分離されている。
【００１９】
図示の場合、各棚要素は４つの棚区分１１に分割されている。棚区分１１により後縁要素１２が残され、これは３つの後縁区分１３に分かれている。
出発板材の各側部には、曲げ領域１５を介して出発板材の残りの部分に接続される側部要素１４がある。各側部要素１４はフラップ１６を有し、フラップ１６は他方の側部要素１４のフラップ１６の方向に延びており、且つ打抜きされた開口部分又はスリット１７によって出発板材の残りの部分から分離されている。更に、板材には頂部要素１８を有する。
【００２０】
図４は、展示スタンド１９を示す。この展示スタンド１９は、曲げ領域で要素を折り曲げると形成される。当該スタンドの種々の部分は、平面状態にある場合と同じ参照番号、即ち板材の対応する要素の場合と同じ参照番号で示す。
図に示すように、展示スタンドは前縁８付きの４つの棚６と、頂部１８と、フラップ１６付きの側部１４とを有する。展示スタンドは地面の上に傾斜した状態で置かれ、よって展示スタンドの使用時には、確実に棚上の商品（図示しない）の全体がよく見える。後方に向くフラップ１６により、傾斜した展示スタンドが後方に倒れることが確実に防止される。
【００２１】
図５は、図示の例では２つの棚要素２２を有する本発明による出発板材の第２の実施形態２１を示し、各棚要素２２は曲げ領域２３に沿う側部を有する。更に、各棚要素２２は曲げ領域２５を介して前縁要素２４に接続されている。開口部分２６によって、棚要素２２と前縁要素２４はそれぞれ出発板材の残りの部分から分離されている。
更に、各棚要素は４つの棚区分２７に分割されている。棚区分２７により後縁要素２８が残され、これは３つの後縁区分２９に分かれている。
【００２２】
実際には、棚要素とその前縁要素及び後縁要素とは、図３に示す本発明による出発板材の第１の実施形態５と同じように設計されており、図面の最も下の後縁区分２９の各々には横方向の曲げ領域３０が設けられている。
更に、板材の各側部が側部要素３１を有し、側部要素３１は曲げ領域３２を介して板材の残りの部分に接続されている。更に、各側部要素は、底部に２つのフック３３を有し、板材は頂部に頂部要素３４を有する。
【００２３】
図６は、曲げ領域で要素を折り曲げたときに形成される、展示スタンド２１を示す。展示スタンドの種々の部分は平面状態にある場合、即ち板材の対応する要素の場合と同じ参照番号で表示される。
この第２の実施形態では、展示スタンドは、前縁２４付きの２つの棚２２と、頂部３４と、フック３３付きの側部３１とを有する。この展示スタンドは主に、図４に示す本発明による展示スタンドの第１の実施形態１９の高さを増加するために使用される。
【００２４】
図７では、２つの展示スタンド１９と２１とが、上部スタンド２１のフック３３を下部スタンド１９の曲げ領域１５の頂部に引っ掛け、上部スタンド２１の最も下の後縁区分２９を後縁区分２９の横方向の曲げ領域３０を介して下部スタンド１９の頂部１８で折り曲げることにより、互いに相手の頂部に取り付けられている。この作業は迅速且つ容易に行うことができるので、２つのスタンドの強力で安定した組立体が得られ、この組立体は単一の高い展示スタンドを形成する。
【００２５】
図８−図１１は本発明の原理を示し、この原理は、使用準備が即座に整うラックの、例えば収納室においてごくわずかの空間しか占有しない出発板材の形態のブランク材の迅速且つ容易な形状変換から構成される。
図８は、棚要素６及び棚要素の曲げ領域７、並びに前縁要素８及び前縁要素の曲げ領域９を有する図３に示す板材５の断面図である。
【００２６】
図９では、棚要素６は曲げ領域７で折り曲げられつつある。この段階では後縁区分１３が見える。
図１０では、棚要素６が、完成された展示スタンドの最終位置まで、曲げ領域７で折り曲げられている。
図１１では、前縁要素８が、棚要素６に対し、最終位置まで曲げ領域９で折り曲げられている。この段階では、形成された棚６は、展示スタンド１９の前縁８及び後縁１２を有する。
【００２７】
図１２及び図１３は、本発明による第３の実施形態による出発板材３４及びこの出発板材から展開されたラック３５を示す。この実施形態は、図３に示す第１の実施形態にほぼ対応する。従って、類似の部分には同じ参照番号が使用されている。
ラックの棚要素３６の各々は、ラックを垂直にした状態で、上部に位置する曲げ領域３７のところで棚に展開される。各棚要素の前縁３８は、棚要素の曲げ領域３９で折り曲げられる。
【００２８】
棚要素の間には板材領域４０があり、この板材領域４０は、棚を展開したときの後縁４０を形成する。
本実施形態は、棚及び後縁に、図３及び図４に示されるような開口部分がないので好ましい。これにより、展開されたラックは、開口部分から落下しうる小さい対象物に使用することができる。
【００２９】
第３の実施形態はまた、展開されると分割壁として各棚をより小さい区画に分割する分割要素４１を備える。各分割要素は、ほぼ垂直な曲げ領域４２のところで展開される。
このラックは本箱にも適している。展開されると、有利には分割壁が本の支持板を形成する。
【００３０】
このラックは例えば、ラックの使用によって商品を提示する百貨店で使用され、この場合、ラックは販売ラックとして機能する。
図１２及び図１３に示す例の場合、点線で表した掲示板が、商品を広告するためにラックの頂部に置かれる。掲示板は、水平保持具４３及び垂直保持具４４によって、取り外し可能に取り付けられる。
【００３１】
各保持具は、曲げ領域４５及び４６でそれぞれ折り畳むことができる保持具要素４３及び４４から形成される。各保持具は、対応する曲げ領域で９０度を超えて折り曲げることが可能で、それにより掲示板を定位置に確実に保持する。
各側部要素１４には長方形の開口部分４７が設けられ、この開口部分４７は手に適合する。ラックはこの開口部分で保持することによって容易に動かすことができる。
【００３２】
上記の掲示板は例えば、厚紙又は紙とすることができる。厚紙は支持具を必要としないが、紙は可撓性が大き過ぎるのでラック上に確実に留まることはできない。
他方、例えばコンピュータとプリンタを使用することにより、容易且つ迅速に明確で読み易いメッセージを紙の上に印刷することができる。
【００３３】
その場合、印刷された紙を適切な収納ケースに入れ、当該ケースを保持器４３及び４４によりラックに取り付けることができる。
別の構成では、図３、４又は６に示すラックの上縁に収納ケースを引掛けるためのフック（図示しない）を用いて収納ケースを取り付けることができる。
【００３４】
図１４及び図１５はそれぞれ、本発明の第４の実施形態による出発板材４８及びこの出発板材から展開されるラック４９を示す。この実施形態は、図１２及び図１３に示す第３の実施形態にほぼ対応する。従って、類似の部分には同じ参照番号を使用する。
この実施形態は、全部で７列の狭い棚要素５０から構成され、これらの棚要素５０は、展開されるとフック状に形成された細長い棚を形成する。
【００３５】
展開されたラックは、例えば対象物の穴を利用してフックに引掛けるように設計された、対象物の提示のための陳列場所を形成する。
このような対象物の一例として、ねじ又は錠のような小さな物品を入れた袋が挙げられる。
各棚要素５０は、水平な曲げ領域５１のところで展開される。
【００３６】
ブランク材又は出発板材、及び出発板材から展開される展示スタンド又はラックの実施例について上述し、図面に示した。これらの各々には、複数の多様な展開可能な要素が取り付けられている。
本発明の範囲内で、前記多様な要素を組み合わせ、更なる有利な実施形態を形成することができる。
【００３７】
前記多様な要素の曲げ領域における曲げの大きさは９０度とすることができるが、別の適切な角度とすることもできる。
各曲げ領域は、使用時に曝される荷重を支持するのに十分に強く、同時に容易に手で曲げることが可能でなければならない。
【００３８】
曲げ領域の抵抗モーメントの大きさは、上述のように、それぞれの曲げ領域の幅、セグメント間の距離、セグメントの幅、及び鉄板の厚さ及び品質によって決定される。
【００３９】
実施例
図４に示す構造の展示スタンドを、図３に示すパターンを有する板材によって製造した。それには約３０秒を要した。この板材は通常の鉄製で、その厚さは１．５ｍｍであった。
各棚の曲げ領域の寸法は以下の通りであった。
曲げ領域の幅：３ｍｍ
セグメント間の間隔：１４ｍｍ
各セグメントの幅：３ｍｍ
【００４０】
棚は、長さ３９０ｍｍ、幅１３０ｍｍであり、例えば約１５ｋｇの総重量を有する商品のような対象物を支えることができた。
約１０ｋｇで棚の前縁の領域を引き込むことにより、棚を棚の曲げ領域で折り曲げた。
【００４１】
各曲げ領域の前縁の寸法は以下の通りであった。
曲げ領域の幅：５ｍｍ
セグメント間の間隔：５２ｍｍ
各セグメントの幅：２ｍｍ
【００４２】
各側部の曲げ領域の寸法は以下の通りであった。
曲げ領域の幅：５ｍｍ
セグメント間の間隔：５２ｍｍ
各セグメントの幅：２ｍｍ
【図面の簡単な説明】
【００４３】
【図１】曲げ領域を有する、本発明による出発板材の部分拡大図である。
【図２】図１と同じ板材を折り曲げた状態の部分拡大図である。
【図３】本発明による出発板材の第１の実施形態の断面図である。
【図４】図３に示す出発板材から形成されたラックの斜視図である。
【図５】本発明によるラックの第２の実施形態の平面図である。
【図６】図５に示す出発板材から形成されたラックの斜視図である。
【図７】図３及び図５にそれぞれ示された出発板材から形成された２つのラックからなる本発明による組立体の、側方部分断面図である。
【図８】図４に示すラックの一部分の側方断面図である。
【図９】前図と同じであるが、棚要素が曲げ領域を中心として途中まで折り曲げられている。
【図１０】前図と同じであるが、棚要素が９０度に折り曲げられている。
【図１１】前縁が曲げ領域を中心として９０度に折り曲げられている、ラック上の完全に折り曲げられた棚を示す。
【図１２】本発明による出発板材の第３の実施形態の平面図である。
【図１３】図１２に示す出発板材から形成されたラックの側面図である。
【図１４】本発明による出発板材の第４の実施形態の平面図である。
【図１５】図１４に示す出発板材から形成されたラックの側面図である。
【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
少なくとも１つの棚（６；２２；３６；５０）を有するラック（１９；２１；３５；４９）へと展開することのできる出発板材（５；２１；３４；４８）の形態のブランク材であって、
−板材（５；２１；３４；４８）が、恒久的に変形可能な材料から構成されること、
−板材が、複数のセグメント（３）及び開口部分（４）の形態の少なくとも１つの曲げ領域（７；９；１５；２３；２５；３０；３２；３７；４２；４５；４６；５１）を有すること、
−板材が、それぞれの側部のうちの一つが曲げ領域（７；９；１５；２３；２５；３０；３２；３７；４２；４５；４６；５１）に沿って延び、残りの側部の少なくとも１つが自由である複数の要素（６；８；１２；１４；１８；２２；２４；２８；３１；３６；３８；４３；４４；５０）を有すること、及び
−ラック（１９；２１；３５；４９）が、それぞれの曲げ領域で前記要素を折り曲げることによって形成されること
を構成要件とするブランク材において、
−前記少なくとも１つの棚が、付属の曲げ領域内に制限される片持ち梁として形成されること、及び
−板材（５；２１）が２つの対向する側部要素（１４；３１）を有し、これら側部要素がそれぞれの曲げ領域（１５；３２）に沿って延び、且つそれぞれの曲げ領域（１５；３２）で折り曲げられるとラック（１９；２１）の側部（１４；３１）を形成すること
を特徴とする、ブランク材。
【請求項２】
各側部要素（１４）が、ラック（１９）を地面に対して支持するためのフラップ（１６）を有することを特徴とする、請求項１に記載のブランク材。
【請求項３】
少なくとも１つの側部要素（１４）に、手に適合する長方形の開口部分（４７）が設けられていることを特徴とする、請求項１又は２に記載のブランク材。
【請求項４】
各側部要素（３１）が、別のラック（１９）の側部要素（１４）の曲げ領域（１５）にラック（２１）を引掛けるための少なくとも１つのフック（３３）を有することを特徴とする、請求項１、２、又は３に記載のブランク材。
【請求項５】
少なくとも１つの棚（６；２２；３６；５０）に属する曲げ領域（７；２５；３７；５１）が、所定の最大荷重を連関する材料の最大許容特定ひずみで除した荷重が棚に掛かったとき前記曲げ領域に掛かる曲げモーメントに等しいか又は当該モーメントより大きい抵抗モーメントを有することを特徴とする、請求項１ないし４のいずれか一項に記載のブランク材。
【請求項６】
ラックの棚要素（３６）の各々を、ラックが直立しているときの上部曲げ領域（３７）を中心に展開することにより棚が形成されることを特徴とする、請求項１ないし５のいずれか一項に記載のブランク材。
【請求項７】
各棚の後縁（４０）が、棚要素（３６）間の板材領域（４０）によって形成されることを特徴とする、請求項１ないし６のいずれか一項に記載のブランク材。
【請求項８】
棚要素（６；２２）の区分（１１；２７）によって少なくとも１つの後縁要素（１２；２８）が残され、この後縁要素が、少なくとも１つの棚要素（６；２２）をその曲げ領域で折り曲げると出発板材（５；２１）上で複数の区分（１３；２９）に分割されること、並びに、この後縁要素が棚（６；２２）の後縁（１２；２８）を形成することを特徴とする、請求項１ないし７のいずれか一項に記載のブランク材。
【請求項９】
少なくとも１つの棚要素（６；２２）が、第２の曲げ領域（９；２５）で折り曲げられると棚（６；２２）の前縁（８；２４）を形成する前縁要素（８；２４）に、第２の曲げ領域（９；２５）を介して接続されていることを特徴とする、請求項１ないし８のいずれか一項に記載のブランク材。
【請求項１０】
ラック（２１）に属する後縁要素（２８）の少なくとも１つの後縁区分（２９）が、別のラック（１９）の頂部要素（１８）のところで後縁区分（２９）を折り曲げることを可能にする曲げ領域を有することを特徴とする、請求項１ないし９のいずれか一項に記載のブランク材。
【請求項１１】
棚要素（６；２２；３６）の曲げ領域（７；２５；３７）が、他の曲げ領域（９；１５；２３；３０；３２；４２；４５；４６）よりも大きい対曲げ抵抗モーメントを有することを特徴とする、請求項１ないし１０のいずれか一項に記載のブランク材。
【請求項１２】
展開された状態において分割壁として各棚を更に小さい区画へ分割するための分割要素（４１）を備えることを特徴とする、請求項１ないし１１のいずれか一項に記載のブランク材。
【請求項１３】
展開された状態において掲示板用の保持具（４３、４４）となる保持具（４３、４４）を備えることを特徴とする請求項１ないし１２のいずれか一項に記載のブランク材。
【国際調査報告】
2009529945.tif 000018
2009529945.tif 000019
2009529945.tif 000020